(57)【要約】【課題】複合電子装置の動作モードと異なるコードのリモコン信号を受信したとき、リモコン装置から送信されたリモコン信号のコードが異なることをユーザに報知することができるようにする。【解決手段】リモコン装置から送信されたリモコン信号を受信し、受信したリモコン信号が複合電子装置の動作モードに対応したコードのリモコン信号であるか否かを判別して、受信したリモコン信号が複合電子装置の動作モードと異なるコードのリモコン信号であるとき、ブザーを鳴動させて、リモコン信号のコードが異なることを報知し、リモコン信号のコードが異なること表示するようにする。【選択図】　　　　図１
0003098505.tif 000002
【実用新案登録請求の範囲】
【請求項１】
異なるコードのリモコン信号により動作する複数のＡＶ機器を動作させる動作モードを切り換えて映像音声信号を記録又は再生する複合電子装置であって、
リモコン装置から送信されたリモコン信号を受信する受信手段と、前記受信手段により受信されたリモコン信号が複合電子装置の動作モードに対応したコードのリモコン信号であるか否かを判別する判別手段と、前記判別手段が前記受信手段により受信されたリモコン信号が複合電子装置の動作モードと異なるコードのリモコン信号であると判別したとき、リモコン信号のコードが異なることを複合電子装置の表示部に点滅表示するとともに、複合電子装置に接続されたモニタ装置の画面に表示された映像にスモークをかけて、リモコン信号のコードが異なることを前記モニタ装置の画面にハイライト表示又は点滅表示する表示手段と、前記判別手段が前記受信手段により受信されたリモコン信号が複合電子装置の動作モードと異なるコードのリモコン信号であると判別したとき、ブザー音を鳴動させて、リモコン信号のコードが異なることを報知する報知手段とを備えたことを特徴とする複合電子装置。
【請求項２】
異なるコードのリモコン信号により動作する複数のＡＶ機器を動作させる動作モードを切り換えて映像音声信号を記録又は再生する複合電子装置であって、
リモコン装置から送信されたリモコン信号を受信する受信手段と、前記受信手段により受信されたリモコン信号が複合電子装置の動作モードに対応したコードのリモコン信号であるか否かを判別する判別手段と、前記判別手段により判別された判別結果を表示する表示手段と、前記判別手段により判別された判別結果を報知する報知手段とを備えたことを特徴とする複合電子装置。
【請求項３】
前記表示手段は、前記判別手段が前記受信手段により受信されたリモコン信号が複合電子装置の動作モードと異なるコードのリモコン信号であると判別したとき、リモコン信号のコードが異なることを表示する表示手段であること特徴とする請求項２記載の複合電子装置。
【請求項４】
前記表示手段は、複合電子装置に接続されたモニタ装置の画面に表示された映像にスモークをかけて、前記判別手段の判別結果を前記モニタ装置の画面にハイライト表示又は点滅表示する表示手段であることを特徴とする請求項２記載の複合電子装置。
【請求項５】
前記表示手段は、前記判別手段の判別結果を複合電子装置の表示部に点滅表示する表示手段であることを特徴とする請求項２記載の複合電子装置。
【請求項６】
前記報知手段は、前記判別手段が前記受信手段により受信されたリモコン信号が複合電子装置の動作モードと異なるコードのリモコン信号であると判別したとき、ブザー音を鳴動させて、リモコン信号のコードが異なることを報知する報知手段であることを特徴とする請求項２記載の複合電子装置。
【考案の詳細な説明】
【０００１】
【考案の属する技術分野】本考案は、ＤＶＤ（Ｄｉｇｉｔａｌ　Ｖｅｒｓａｔｉｌｅ　Ｄｉｓｃ）等の光ディスクに記録された映像音声信号を再生するＤＶＤ装置、ビデオテープに映像信号を記録再生するＶＣＲ（Ｖｉｄｅｏ　Ｃａｓｓｅｔｔｅ　Ｒｅｃｏｒｄｅｒ）装置等の複数のＡＶ（Ａｕｄｉｏ　Ｖｉｓｕａｌ）機器が組み込まれた複合電子装置に係り、特に複合電子装置の動作モードと異なるコードのリモコン信号を受信したときに、リモコン信号のコードが異なることをユーザに報知する機能を有する複合電子装置に関する。
【０００２】
【従来の技術】周知のように、ＤＶＤ装置、ＶＣＲ装置等の複数のＡＶ機器が組み込まれた複合電子装置を遠隔操作するリモコン装置には、複合電子装置に組み込まれた複数のＡＶ機器を動作させる動作モードの切り換えを指令する複数のモード切換キーと複数のＡＶ機器の動作を指令する複数の共通キーとが設けられていて、リモコン装置のモード切換キーを操作することにより、複合電子装置の動作モードが切り換えられ、共通キーが操作されたとき、切り換えられた複合電子装置の動作モードで動作するＡＶ機器に対応したコードのリモコン信号がリモコン装置から送信され、複合電子装置を所望動作させることができるようになっている。しかし、ユーザがリモコン装置のモード切換キーを操作せずに共通キーを操作したときに、複合電子装置の動作モードと異なるコードのリモコン信号がリモコン装置から送信された場合、ユーザがリモコン信号のコードが複合電子装置の動作モードと異なることに気付かず、複合電子装置が所望動作しないという問題点があった。
【０００３】従来の技術としては、遠隔制御装置から送信された制御信号に基づいて、複数のＡＶ機器からの映像信号を切り換え、選択された映像信号に基づいた映像を画面に表示するとき、選択されたＡＶ機器を操作するために必要な操作メニュを画面に表示するとともに、選択されたＡＶ機器を制御する制御信号を生成して選択されたＡＶ機器に送信し、表示された操作メニュを選択して、選択されたＡＶ機器を操作するようにしたものがあった（例えば、特許文献１参照）。
【０００４】また、リモコン装置から送信された制御信号に基づいて、内蔵されたチューナ入力と複数のＡＶ機器の入力とを切り換えて入力モードを選択し、選択された入力モードをテレビ受像機からリモコン装置に送信して、テレビ受像機及びテレビ受像機に接続された複数のＡＶ機器の操作に共通するリモコン装置の操作キーを操作したとき、テレビ受像機の入力モードに対応したコードのリモコン信号をリモコン装置から送信するようにしたものがあった（例えば、特許文献２参照）。
【０００５】
【特許文献１】特開平５−３３６３９８号公報
【特許文献２】特開平６−３１１３８５号公報
【０００６】
【考案が解決しようとする課題】しかしながら、従来の技術で述べたもののうち前者においては、遠隔制御装置から送信された制御信号に基づいて、複数のＡＶ機器からの映像信号を切り換え、選択された映像信号に基づいた映像を画面に表示するとき、選択されたＡＶ機器を操作するために必要な操作メニュを画面に表示するとともに、選択されたＡＶ機器を制御する制御信号を生成して選択されたＡＶ機器に送信し、表示された操作メニュを選択して、選択されたＡＶ機器を操作することができたが、遠隔制御装置から送信された制御信号により操作メニュが選択されたとき、選択されたＡＶ機器を制御する制御信号を生成して、選択されたＡＶ機器に生成された制御信号を送信しなければならないという問題点があった。
【０００７】また、後者においては、リモコン装置から送信された制御信号に基づいて、内蔵されたチューナ入力と複数のＡＶ機器の入力とを切り換えて入力モードを選択し、選択された入力モードをテレビ受像機からリモコン装置に送信して、テレビ受像機及びテレビ受像機に接続された複数のＡＶ機器の操作に共通するリモコン装置の操作キーを操作したとき、テレビ受像機の入力モードに対応したコードのリモコン信号をリモコン装置から送信することができたが、選択された入力モードをテレビ受像機からリモコン装置に送信して、送信されたテレビ受像機の入力モードをリモコン装置が受信しなければならず、テレビ受像機とリモコン装置との間での双方向に通信をしなければならないという問題点があった。
【０００８】本考案は、従来の技術の有するこのような問題点に鑑みてなされたものであり、その目的とするところは、複合電子装置の動作モードと異なるコードのリモコン信号を受信したとき、リモコン装置から送信されたリモコン信号のコードが異なることをユーザに報知することができる複合電子装置を提供しようとするものである。
【０００９】
【課題を解決するための手段】上記目的を達成するために、本考案における複合電子装置は、異なるコードのリモコン信号により動作する複数のＡＶ機器を動作させる動作モードを切り換えて映像音声信号を記録又は再生する複合電子装置であって、リモコン装置から送信されたリモコン信号を受信する受信手段と、前記受信手段により受信されたリモコン信号が複合電子装置の動作モードに対応したコードのリモコン信号であるか否かを判別する判別手段と、前記判別手段により判別された判別結果を表示する表示手段と、前記判別手段により判別された判別結果を報知する報知手段とを備える。
【００１０】前記表示手段は、前記判別手段が前記受信手段により受信されたリモコン信号が複合電子装置の動作モードと異なるコードのリモコン信号であると判別したとき、リモコン信号のコードが異なることを表示するようにする。
【００１１】また、前記表示手段は、複合電子装置に接続されたモニタ装置の画面に表示された映像にスモークをかけて、前記判別手段の判別結果を前記モニタ装置の画面にハイライト表示又は点滅表示するようにするとよい。
【００１２】また、前記表示手段は、前記判別手段の判別結果を複合電子装置の表示部に点滅表示するようにするとよい。
【００１３】前記報知手段は、前記報知手段は、前記判別手段が前記受信手段により受信されたリモコン信号が複合電子装置の動作モードと異なるコードのリモコン信号であると判別したとき、ブザー音を鳴動させて、リモコン信号のコードが異なることを報知するようにするとよい。
【００１４】上記のように構成することにより、複合電子装置の動作モードと異なるコードのリモコン信号を受信したとき、リモコン装置から送信されたリモコン信号のコードが異なることをユーザに報知することができる。
【００１５】
【考案の実施の形態】以下、適宜図面を参照しながら本考案の実施の形態を詳述する。図１は本考案の実施の形態に係る複合電子装置の構成を示すブロック図であり、図２は本考案の実施の形態に係る複合電子装置のリモコン装置を示す説明図であり、図３は本考案の実施の形態に係る複合電子装置の動作を示す説明図であり、図４は本考案の実施の形態に係る複合電子装置の動作を示すフローチャートである。
【００１６】まず、図１の本考案の実施の形態に係る複合電子装置の構成を示すブロック図を基に説明する。
【００１７】複合電子装置１０は、アンテナ２１により受信された電波から選択されたチャンネルのテレビ放送を受信するチューナ１１と、チューナ１１により受信されたテレビ放送の映像音声信号を検波増幅する検波増幅回路１２と、ビデオテープに映像音声信号を記録再生するＶＣＲ部１３と、ＤＶＤ等の光ディスクに記録された映像音声信号を再生するＤＶＤ部１４と、ＶＣＲ部１３からの映像音声信号の出力とＤＶＤ部１４からの映像音声信号の出力とを切り換える出力切換部１５と、文字情報信号を映像信号に重畳して文字情報をモニタ装置４０の画面に表示するＯＳＤ（Ｏｎ−Ｓｃｒｅｅｎ　Ｃｈａｒａｃｔｅｒ　Ｄｉｓｐｌａｙ）回路１６と、複合電子装置１０のシステム全体を制御するマイコン１７と、カレンダ、時刻、タイトル番号、チャプタ番号等の各種情報を表示する表示部１８と、ブザー音を発する圧電ブザー１９と、リモコン装置３０から送信された赤外線信号のリモコン信号を受信して、所定の電気信号に変換するリモコン受信部２０とで構成されている。
【００１８】また、図２の本考案の実施の形態に係る複合電子装置のリモコン装置を示す説明図を基に説明する。
【００１９】リモコン装置３０には、複合電子装置１０の動作モードをＤＶＤ部１４を動作させるＤＶＤモードに切り換える動作モードの切り換えを指令するとともに、リモコン装置３０から送信される赤外線信号のリモコン信号のコードをＤＶＤコードに切り換えるＤＶＤキー３０ａ、複合電子装置１０の動作モードをＶＣＲ部１３を動作させるＶＣＲモードに切り換える動作モードの切り換えを指令するとともに、リモコン装置３０から送信される赤外線信号のリモコン信号のコードをＶＣＲコードに切り換えるＶＣＲキー３０ｂ、受信するテレビ放送のチャンネルの選択を指令するとともに、ＤＶＤ等の光ディスクのタイトル番号、チャプタ番号の選択を指令する共通キーのテンキー３０ｃ、ＤＶＤ等の光ディスクの再生等とビデオテープの記録再生等とを指令する複数の共通キー３０ｄ等の各種操作キーが設けられていて、それらの操作キーを操作することにより、複合電子装置１０を所望動作させることができるようになっている。
【００２０】以上のように構成された複合電子装置について、以下その動作について説明する。
【００２１】リモコン装置３０から送信された赤外線信号のリモコン信号が複合電子装置１０のリモコン受信部２０により受信されると、リモコン受信部２０により所定の電気信号に変換されてマイコン１７に送出される。マイコン１７は、リモコン装置３０から送信されたリモコン信号を受信すると、受信したリモコン信号がＤＶＤキー３０ａのリモコン信号であるか、ＶＣＲキー３０ｂのリモコン信号であるか否かを判断して、受信したリモコン信号がＤＶＤキー３０ａのリモコン信号である場合、ＤＶＤ部１４に制御信号を送出して、複合電子装置１０の動作モードを光ディスクに記録された映像音声信号を再生するＤＶＤモードに切り換え、出力切換部１５に制御信号を送出して、ＯＳＤ回路１６を介してＤＶＤ部１４からの映像音声信号をモニタ装置４０に出力するように制御する。また、受信したリモコン信号がＶＣＲキー３０ｂのリモコン信号である場合、マイコン１７は、ＶＣＲ部１３に制御信号を送出して、複合電子装置１０の動作モードをビデオテープに映像音声信号を記録再生するＶＣＲモードに切り換え、出力切換部１５に制御信号を送出して、ＯＳＤ回路１６を介してＶＣＲ部１３からの映像音声信号をモニタ装置４０に出力するように制御する。
【００２２】そして、マイコン１７は、リモコン受信部２０によりリモコン装置３０のテンキー３０ｃ或いは複数の共通キー３０ｄのいずれかのリモコン信号を受信すると、受信したリモコン信号が複合電子装置１０の動作モードに対応したコードのリモコン信号であるか否かを判断して、複合電子装置１０の動作モードがＤＶＤモードのときに、ＤＶＤコードのリモコン信号を受信した場合、ＤＶＤ部１４に制御信号を送出して、受信したＤＶＤコードのリモコン信号により指令されたＤＶＤ部１４の動作を実行させる。また、複合電子装置１０の動作モードがＶＣＲモードのときに、ＶＣＲコードのリモコン信号を受信した場合、マイコン１７は、ＶＣＲ部１３に制御信号を送出して、受信したＶＣＲコードのリモコン信号により指令されたＶＣＲ部１３の動作を実行させる。
【００２３】また、受信したリモコン装置３０のテンキー３０ｃ或いは共通キー３０ｄのリモコン信号のコードが複合電子装置１０の動作モードと異なる場合、マイコン１７は、圧電ブザー１９に駆動信号を送出してブザー音を鳴動させて、リモコン信号のコードが異なることを報知し、リモコン信号のコードが異なることを表示部１８に点滅表示するとともに、ＯＳＤ回路１６に文字情報信号と制御信号とを送出して、モニタ装置４０の画面に表示された映像にスモークをかけて、リモコン信号のコードが異なることをモニタ装置４０の画面にハイライト表示する。複合電子装置１０の動作モードがＤＶＤモードであるときに、ＶＣＲコードのリモコン信号を受信した場合、マイコン１７は、圧電ブザー１９に駆動信号を送出してブザー音を鳴動させて、リモコン信号のコードが異なることを報知し、リモコン信号のコードが異なることを表示部１８に点滅表示するとともに、ＯＳＤ回路１６に文字情報信号と制御信号とを送出して、モニタ装置４０の画面に表示されたＤＶＤ部１３からの映像信号の映像Ａにスモークをかけ、リモコン信号のコードが異なることをモニタ装置４０の画面４０ａにハイライト表示Ｂして、ユーザにリモコン装置３０のＤＶＤキー３０ａを操作する旨を報知する（図３（ａ）参照）。
【００２４】また、複合電子装置１０の動作モードがＶＣＲモードであるときに、ＤＶＤコードのリモコン信号を受信した場合、マイコン１７は、圧電ブザー１９に駆動信号を送出してブザー音を鳴動させて、リモコン信号のコードが異なることを報知し、リモコン信号のコードが異なることを表示部１８に点滅表示するとともに、ＯＳＤ回路１６に文字情報信号と制御信号とを送出して、モニタ装置４０の画面４０ａに表示されたＶＣＲ部１３からの映像信号の映像Ｃにスモークをかけ、リモコン信号のコードが異なることをモニタ装置４０の画面４０ａにハイライト表示Ｄして、ユーザにリモコン装置３０のＶＣＲキー３０ｂを操作する旨を報知する（図３（ｂ）参照）。
【００２５】また、図４の本考案の実施の形態に係る複合電子装置の動作を示すフローチャートを基に説明する。
【００２６】リモコン装置から送信されたリモコン信号を受信すると、ステップＳ１からステップＳ２に進み、ステップＳ２で、受信されたリモコン信号がＤＶＤキーのリモコン信号であるか否かが判断され、受信されたリモコン信号がＤＶＤキーのリモコン信号である場合、ステップＳ３に進み、受信されたリモコン信号がＤＶＤキーのリモコン信号でない場合、ステップＳ４に進む。
【００２７】ステップＳ３で、複合電子装置の動作モードが光ディスクに記録された映像音声信号を再生するＤＶＤモードに切り換えられ、ステップＳ１３に進んで処理を終了する。
【００２８】ステップＳ４で、受信されたリモコン信号がＶＣＲキーのリモコン信号であるか否かが判断され、受信されたリモコン信号がＶＣＲキーのリモコン信号である場合、ステップＳ５に進み、受信されたリモコン信号がＶＣＲキーのリモコン信号でない場合、ステップＳ６に進む。
【００２９】ステップＳ５で、複合電子装置の動作モードがビデオテープに映像音声信号を記録再生するＶＣＲモードに切り換えられ、ステップＳ１３に進んで処理を終了する。
【００３０】ステップＳ６で、受信されたリモコン信号がＤＶＤコードのリモコン信号であるか否かが判断され、受信されたリモコン信号がＤＶＤコードのリモコン信号である場合、ステップＳ７に進み、受信されたリモコン信号がＤＶＤコードのリモコン信号でない場合、即ち受信されたリモコン信号がＶＣＲコードのリモコン信号である場合、ステップＳ１０に進む。
【００３１】ステップＳ７で、複合電子装置の動作モードが光ディスクに記録された映像音声信号を再生するＤＶＤモードであるか否かが判断され、複合電子装置の動作モードがＤＶＤモードである場合、ステップＳ８に進み、複合電子装置の動作モードがＤＶＤモードでない場合、即ち複合電子装置の動作モードがＶＣＲモードである場合、ステップＳ９に進む。
【００３２】ステップＳ８で、複合電子装置のＤＶＤ部に制御信号が送出されて、受信されたＤＶＤコードのリモコン信号により指令されたＤＶＤ部の動作が実行され、ステップＳ１３に進んで処理を終了する。
【００３３】ステップＳ９で、圧電ブザーを鳴動させて、リモコン信号のコードが異なることが報知され、リモコン信号のコードが異なることが複合電子装置の表示部に点滅表示されるとともに、モニタ装置の画面に表示されたＶＣＲ部からの映像信号の映像にスモークがかけられ、リモコン信号のコードが異なることがモニタ装置の画面にハイライト表示されて、ユーザにＶＣＲキーを操作する旨が報知され（図３（ｂ）参照）、ステップＳ１３に進んで処理を終了する。
【００３４】ステップＳ１０で、複合電子装置の動作モードがビデオテープに映像音声信号を記録再生するＶＣＲモードであるか否かが判断され、複合電子装置の動作モードがＶＣＲモードである場合、ステップＳ１１に進み、複合電子装置の動作モードがＶＣＲモードでない場合、即ち複合電子装置の動作モードがＤＶＤモードである場合、ステップＳ１２に進む。
【００３５】ステップＳ１１で、複合電子装置のＶＣＲ部に制御信号が送出されて、受信されたＶＣＲコードのリモコン信号により指令されたＶＣＲ部の動作が実行され、ステップＳ１３に進んで処理を終了する。
【００３６】ステップＳ１２で、圧電ブザーを鳴動させて、リモコン信号のコードが異なることが報知され、リモコン信号のコードが異なることが複合電子装置の表示部に点滅表示されるとともに、モニタ装置の画面に表示されたＤＶＤ部からの映像信号の映像にスモークがかけられ、リモコン信号のコードが異なることがモニタ装置の画面にハイライト表示されて、ユーザにＤＶＤキーを操作する旨が報知され（図３（ａ）参照）、ステップＳ１３に進んで処理を終了する。
【００３７】以上、本考案の実施の形態について詳述したが、本考案はこれに限らず、当業者の通常の知識の範囲内でその変形や改良が可能である。例えば、受信したリモコン信号のコードが複合電子装置の動作モードと異なる場合、リモコン信号のコードが異なることをモニタ装置の画面にハイライト表示することを説明したが、リモコン信号のコードが異なることをモニタ装置の画面に点滅表示するようにしてもよい。
【００３８】
【考案の効果】以上説明してきたように、本考案による複合電子装置によれば、リモコン装置から送信されたリモコン信号が複合電子装置の動作モードに対応したコードのリモコン信号であるか否かを判別して、受信したリモコン信号が複合電子装置の動作モードと異なるコードのリモコン信号である場合、ブザーを鳴動させて、リモコン信号のコードが異なることを報知し、リモコン信号のコードが異なることを複合電子装置の表示部に点滅表示するとともに、リモコン信号のコードが異なることをモニタ装置の画面に表示して、ユーザにリモコン信号のコードが異なることを報知することができる。このことにより、複合電子装置の動作モードと異なるコードのリモコン信号を受信したとき、リモコン装置から送信されたリモコン信号のコードが異なることをユーザに報知することができる。
【００３９】請求項１記載の考案に係る複合電子装置は、リモコン装置から送信されたリモコン信号を受信し、受信したリモコン信号が複合電子装置の動作モードに対応したコードのリモコン信号であるか否かを判別して、受信したリモコン信号が複合電子装置の動作モードと異なるコードのリモコン信号である場合、リモコン信号のコードが異なることを複合電子装置の表示部に点滅表示するとともに、複合電子装置に接続されたモニタ装置の画面に表示された映像にスモークをかけて、リモコン信号のコードが異なることをモニタ装置の画面にハイライト表示又は点滅表示して、ブザー音を鳴動させて、リモコン信号のコードが異なることを報知するようにしているので、複合電子装置の動作モードと異なるコードのリモコン信号を受信した場合、リモコン装置から送信されたリモコン信号のコードが複合電子装置の動作モードと異なることをユーザに報知することができる。
【００４０】請求項２記載の考案に係る複合電子装置は、リモコン装置から送信されたリモコン信号を受信し、受信したリモコン信号が複合電子装置の動作モードに対応したコードのリモコン信号であるか否かを判別して、その判別結果を表示して報知するようにしているので、リモコン信号を受信したとき、リモコン装置から送信されたリモコン信号が複合電子装置の動作モードに対応したコードのリモコン信号であるか否かをユーザに報知することができる。
【００４１】請求項３記載の考案に係る複合電子装置は、受信したリモコン信号が複合電子装置の動作モードと異なるコードのリモコン信号であるとき、リモコン信号のコードが異なることを表示するようにしているので、複合電子装置の動作モードと異なるコードのリモコン信号を受信したとき、リモコン装置から送信されたリモコン信号のコードが複合電子装置の動作モードと異なることをユーザに報知することができる。
【００４２】請求項４記載の考案に係る複合電子装置は、モニタ装置の画面に表示された映像にスモークをかけて、受信したリモコン信号が複合電子装置の動作モードに対応したコードのリモコン信号であるか否かの判別結果をモニタ装置の画面にハイライト表示又は点滅表示するようにしているので、ユーザがモニタ装置の画面に表示された判別結果を容易に知ることができる。
【００４３】請求項５記載の考案に係る複合電子装置は、受信したリモコン信号が複合電子装置の動作モードに対応したコードのリモコン信号であるか否かの判別結果を複合電子装置の表示部に点滅表示するようにしているので、モニタ装置の電源がＯＦＦ状態であっても、ユーザが複合電子装置の表示部に表示された判別結果を容易に知ることができる。
【００４４】請求項６記載の考案に係る複合電子装置は、受信したリモコン信号が複合電子装置の動作モードと異なるコードのリモコン信号であるとき、ブザー音を鳴動させて、リモコン信号のコードが異なることを報知するようにしているので、複合電子装置の動作モードと異なるコードのリモコン信号を受信したとき、リモコン装置から送信されたリモコン信号のコードが複合電子装置の動作モードと異なることをブザー音によりユーザに報知することができる。
【図面の簡単な説明】
【図１】本考案の実施の形態に係る複合電子装置の構成を示すブロック図である。
【図２】本考案の実施の形態に係る複合電子装置のリモコン装置を示す説明図である。
【図３】本考案の実施の形態に係る複合電子装置の動作を示す説明図である。
【図４】本考案の実施の形態に係る複合電子装置の動作を示すフローチャートである。
【符号の説明】
１０　複合電子装置
１１　チューナ
１２　検波増幅回路
１３　ＶＣＲ部
１４　ＤＶＤ部
１５　出力切換部
１６　ＯＳＤ回路
１７　マイコン
１８　表示部
１９　圧電ブザー
２０　リモコン受信部
２１　アンテナ
３０　リモコン装置
３０ａ　ＤＶＤキー
３０ｂ　ＶＣＲキー
３０ｃ　テンキー
３０ｄ　共通キー
４０　モニタ装置
４０ａ　画面
【図１】
0003098505.tif 000003
【図２】
0003098505.tif 000004
【図３】
0003098505.tif 000005
【図４】
0003098505.tif 000006